(57)【要約】【課題】透明な可動役物を遊技盤に金属製のビス等で固定しないことにより、美観を損なわないパチンコ機を提供する。【解決手段】パチンコ機Pは、透明部分及び不透明部分を有する遊技盤3と、遊技盤3の透明部分を正面から裏面にかけて貫通する貫通孔と、貫通孔に設けられ、上方に向けて開口する箱形の遊技球受け箱20と、遊技盤3の不透明部分の裏面に設けられ、遊技球受け箱20を駆動する駆動手段30と、駆動手段30の動力を遊技球受け箱20に伝動する伝動手段40とを備える。遊技球受け箱20及び伝動手段40は透明である。伝動手段40は、遊技球受け箱20を、貫通孔から遊技空間15へ突出させて遊技球を受け止め得る突出位置と、遊技空間15から貫通孔へ退避させて遊技球を受け止め得ない退避位置との間を移動させる。遊技球受け箱20は、突出位置で受け止めた遊技球を遊技盤3の裏面側へ誘導する。【選択図】図４
2010063474.tif 000002
【特許請求の範囲】
【請求項１】
裏側の透けて見える透明部分、及び裏側の透けて見えない不透明部分を有する遊技盤と、
遊技盤を正面側から覆う前扉とを備え、
遊技盤の少なくとも透明部分と前扉との間に、遊技球の落下する遊技空間を有するパチンコ機であって、
遊技盤の透明部分を正面から裏面にかけて貫通する貫通孔と、
貫通孔に設けられ、上方に向けて開口する箱形の遊技球受け箱と、
遊技盤の不透明部分の裏面に設けられ、遊技球受け箱を駆動する駆動手段と、
駆動手段の動力を遊技球受け箱に伝動する伝動手段とを備え、
遊技球受け箱及び伝動手段は透明であり、
伝動手段は、遊技球受け箱を、貫通孔から遊技空間へ突出させて遊技球を受け止め得る突出位置と、遊技空間から貫通孔へ退避させて遊技球を受け止め得ない退避位置との間を移動させ、
遊技球受け箱は、突出位置で受け止めた遊技球を遊技盤の裏面側へ誘導することを特徴とするパチンコ機。
【請求項２】
伝動手段は、駆動手段と遊技球受け箱とを連結し、
駆動手段は、伝動手段を回転運動させることにより、遊技球受け箱を移動させることを特徴とする請求項１に記載のパチンコ機。
【請求項３】
伝動手段は、遊技球受け箱を突出位置に向けて移動させる際に、遊技球が遊技球受け箱と前扉との間に挟まると、当該位置で遊技球受け箱の移動を停止させることを特徴とする請求項１または２に記載のパチンコ機。
【請求項４】
遊技盤に設けられ、遊技球を転動させるステージを有するセンター役物と、
遊技盤の裏面側に設けられ、遊技球受け箱により遊技盤の裏面側へ誘導された遊技球をセンター役物のステージへ誘導するワープ樋とを備え、
ワープ樋は透明であることを特徴とする請求項１ないし３のいずれかに記載のパチンコ機。
【請求項５】
遊技球受け箱により遊技盤の裏面側へ誘導された遊技球を検出する遊技球センサーを備え、
遊技球センサーが遊技球を検出したことを契機に、遊技者に所定の利益を付与することを特徴とする請求項１ないし３のいずれかに記載のパチンコ機。
【発明の詳細な説明】
【技術分野】
【０００１】
本発明は、パチンコ機に関し、さらに詳しくは、裏側の透けて見える透明部分を有する遊技盤と、この透明部分に位置する透明可動役物とを備えたパチンコ機に関するものである。
【背景技術】
【０００２】
従来、遊技機として、透明な合成樹脂等で形成された遊技盤と、遊技盤の裏面側に位置する液晶ディスプレイとを備えたパチンコ機が知られている。また、遊技盤には、可動役物（例えば、電動チューリップや大入賞口など）が設けられている。
近年、演出効果を高めるべく、大型の液晶ディスプレイを用いて広範囲に画像を表示させるとともに、画像の視認を妨げぬように、可動役物を透明な部材で形成したパチンコ機も登場している。
ところが、可動役物を透明な部材で形成しても、可動役物を駆動する駆動手段（例えば、ソレノイドやモータ）により画像の視認が妨げられるだけでなく、駆動手段が視認されることにより美観が損なわれるという問題があった。
【０００３】
そこで、遊技盤の透明部分から外れた位置に駆動手段を設けるとともに、透明な部材で形成した伝動手段により駆動手段の動力を可動役物に伝動する技術が公開されている（特許文献１参照）。
【特許文献１】特開２００５−２９６３０２号公報
【発明の開示】
【発明が解決しようとする課題】
【０００４】
ところで、従来のパチンコ機では、可動役物を遊技盤に金属製のビス等により固定する。
しかし、遊技盤や可動役物が透明であるために、金属製のビスが目立ってしまい、美観が損なわれるという問題があった。
そこで、本発明は、上述のような問題に鑑みてなされたものであり、その目的とするところは、透明な可動役物を遊技盤に金属製のビス等で固定しないことにより、美観を損なわないパチンコ機を提供することである。
【課題を解決するための手段】
【０００５】
（請求項１）
請求項１に記載の発明は、
裏側の透けて見える透明部分、及び裏側の透けて見えない不透明部分を有する遊技盤(3)と、
遊技盤(3)を正面側から覆う前扉(6)とを備え、
遊技盤(3)の少なくとも透明部分と前扉(6)との間に、遊技球の落下する遊技空間(15)を有するパチンコ機(P)であって、
遊技盤(3)の透明部分を正面から裏面にかけて貫通する貫通孔と、
貫通孔に設けられ、上方に向けて開口する箱形の遊技球受け箱(20)と、
遊技盤(3)の不透明部分の裏面に設けられ、遊技球受け箱(20)を駆動する駆動手段(30)と、
駆動手段(30)の動力を遊技球受け箱(20)に伝動する伝動手段(40)とを備え、
遊技球受け箱(20)及び伝動手段(40)は透明であり、
伝動手段(40)は、遊技球受け箱(20)を、貫通孔から遊技空間(15)へ突出させて遊技球を受け止め得る突出位置と、遊技空間(15)から貫通孔へ退避させて遊技球を受け止め得ない退避位置との間を移動させ、
遊技球受け箱(20)は、突出位置で受け止めた遊技球を遊技盤(3)の裏面側へ誘導することを特徴とするパチンコ機(P)に関するものである。
【０００６】
「遊技盤(3)」は、裏側の透けて見える透明部分と、裏側の透けて見えない不透明部分とを有している。具体的には、遊技盤(3)の壁板自身が、裏側の透けて見える透明な材料と、裏側の透けて見えない不透明な材料とで構成されてもよい。また、遊技盤(3)の壁板には、裏側の透けて見える透明な材料を用い、その壁板の一部に不透明な塗料を塗布し、または不透明なシートを貼り付け、または不透明な役物を取り付ける等により、裏側の透けて見えない不透明部分を有するようにしてもよい。また、これらを組み合わせた遊技盤(3)としてもよい。
（請求項２）
請求項２に記載の発明は、請求項１に記載の発明の特徴に加え、
伝動手段(40)は、駆動手段(30)と遊技球受け箱(20)とを連結し、
駆動手段(30)は、伝動手段(40)を回転運動させることにより、遊技球受け箱(20)を移動させることを特徴とするパチンコ機(P)に関するものである。
【０００７】
（請求項３）
請求項３に記載の発明は、請求項１または２に記載の発明の特徴に加え、
伝動手段(40)は、遊技球受け箱(20)を突出位置に向けて移動させる際に、遊技球が遊技球受け箱(20)と前扉(6)との間に挟まると、当該位置で遊技球受け箱(20)の移動を停止させることを特徴とするパチンコ機(P)に関するものである。
（請求項４）
請求項４に記載の発明は、請求項１ないし３のいずれかに記載の発明の特徴に加え、
遊技盤(3)に設けられ、遊技球を転動させるステージ(64)を有するセンター役物(9)と、
遊技盤(3)の裏面側に設けられ、遊技球受け箱(20)により遊技盤(3)の裏面側へ誘導された遊技球をセンター役物(9)のステージ(64)へ誘導するワープ樋(50)とを備え、
ワープ樋(50)は透明であることを特徴とするパチンコ機(P)に関するものである。
【０００８】
（請求項５）
請求項５に記載の発明は、請求項１ないし３のいずれかに記載の発明の特徴に加え、
遊技球受け箱(20)により遊技盤(3)の裏面側へ誘導された遊技球を検出する遊技球センサー(72)を備え、
遊技球センサー(72)が遊技球を検出したことを契機に、遊技者に所定の利益を付与することを特徴とするパチンコ機(P)に関するものである。
【発明の効果】
【０００９】
（請求項１及び２）
請求項１及び２に記載の発明によれば、遊技球受け箱を遊技盤にビス等で固定しないので、パチンコ機の美観を損なわない。また、遊技球受け箱を駆動する駆動手段は、遊技盤の不透明部分の裏面に設けられているので、パチンコ機の美観を損なわない。
（請求項３）
請求項３に記載の発明によれば、請求項１及び２に記載の発明の効果に加え、次の効果を相する。
すなわち、請求項３に記載の発明によれば、遊技球受け箱を突出位置に向けて移動させる際に、遊技球が遊技球受け箱と前扉との間に挟まると、当該位置で遊技球受け箱の移動を停止させるようになっている。これにより、遊技球受け箱や伝動手段の破損を防止することができる。
【００１０】
（請求項４）
請求項４に記載の発明によれば、請求項１ないし３のいずれかに記載の発明の効果に加え、次の効果を相する。
すなわち、請求項４に記載の発明によれば、遊技盤、遊技球受け箱及びワープ樋は、透明な材料で形成されている。これにより、遊技球が遊技球受け箱により遊技盤の裏面側へ移動する様子や、遊技球がワープ樋を通過する様子を視認することができるので、遊技の興趣を高めることができる。
（請求項５）
請求項５に記載の発明によれば、請求項１ないし３のいずれかに記載の発明の効果に加え、次の効果を奏する。
【００１１】
すなわち、請求項５に記載の発明によれば、遊技球が遊技球受け箱により遊技盤の裏面側へ誘導されると、遊技者に所定の利益が付与されるので、遊技の興趣を高めることができる。
【発明を実施するための最良の形態】
【００１２】
本発明を実施するための最良の形態を２例挙げて、図面を参照しつつ順次説明する。
（第１の実施の形態）
（図面の説明）
図１ないし図７は、第１の実施の形態を示すものである。
図１は、パチンコ機Pを示す斜視図である。図２は、遊技盤3を示す正面図である。図３は、センター役物9を示す斜視図である。図４は、退避位置の透明可動役物17を示す斜視図である。図５は、突出位置の透明可動役物17を示す斜視図である。図６は、退避位置の透明可動役物17を示す縦断面図である。図７は、突出位置の透明可動役物17を示す縦断面図である。
【００１３】
なお、「正面」とは、パチンコ機Pにおける、遊技者が遊技を行う際に向き合う面をいう。また、「右側」とは、パチンコ機Pの正面に向き合う遊技者から見て右側を意味し、「左側」とは、パチンコ機Pの正面に向き合う遊技者から見て左側を意味する。
（パチンコ機P）
本実施の形態に係るパチンコ機Pは、遊技媒体として遊技球を用いて遊技が行われる。
また、パチンコ機Pは、図１に示すように、遊技場の島設備（図示せず）に固定される外枠1と、外枠1に嵌め込まれた本体2とを備えている。
本体2の上部には、透明な合成樹脂製の遊技盤3が設けられている。また、遊技盤3の裏面側には、大型の液晶ディスプレイ（図示せず）が設けられている。したがって、遊技盤3越しに液晶ディスプレイが透けて見えるようになっている。また、本体2において、遊技盤3の下方の位置には、遊技球を貯留する受け皿4が設けられ、この受け皿4の下方の位置には、発射装置（図示せず）に遊技球を発射させるための操作ハンドル5が設けられている。
【００１４】
外枠1には、遊技盤3を正面側から覆う前扉6が設けられている。前扉6は、本体2に回動可能に取り付けられた前扉枠7と、前扉枠7に回動可能に取り付けられたガラス窓8とを備えている。また、前扉6を閉じて遊技盤3を覆ったときに、ガラス窓8越しに遊技盤3や液晶ディスプレイを視認できるようになっている。
図１及び図２に示すように、遊技盤3には、その中央部にセンター役物9が設けられている。また、遊技盤3において、センター役物9の下方の位置には、電動チューリップ10が設けられており、この電動チューリップ10の下方の位置には、大入賞口11が設けられている。さらに、遊技盤3において、センター役物9の右側の位置には、通過ゲート12が設けられ、センター役物9の下方の位置には、４個の入賞チャッカー13が設けられている。電動チューリップ10、大入賞口11または入賞チャッカー13に入賞した遊技球は、遊技盤3の裏面側へ排出されるようになっている。そして、図１ないし図３に示すように、遊技盤3におけるセンター役物9の左側の位置には、透明可動役物17が設けられている。
【００１５】
また、センター役物9、電動チューリップ10、大入賞口11、通過ゲート12及び入賞チャッカー13は、不透明な材料で形成されている。したがって、これらが設けられた部分については、遊技盤3越しに液晶ディスプレイが透けて見えないようになっている。
遊技盤3とガラス窓8との間には、遊技球の落下する遊技空間15が形成されている。操作ハンドル5の操作により発射された遊技球は、ガイドレール14に誘導されて遊技空間15の上部に打ち出される。そして、遊技空間15に打ち出された遊技球は、遊技盤3に設けられた遊技釘（図示せず）などに接触して流下方向を転換しながら遊技空間15を流下する。また、遊技盤3の下部には、アウト口16が設けられており、遊技盤3の下部まで流下した遊技球は、アウト口16を通り抜けて遊技盤3の裏面側へ排出される。
【００１６】
遊技盤3の裏面には、パチンコ機Pを制御するための制御装置（図示せず）が設けられている。制御装置は、ＣＰＵを中心に構成され、ＲＯＭ、ＲＡＭ等を備えている。
また、制御装置は、パチンコ機Pに設けられた各種センサからの信号を入力するようになっている。具体的には、制御装置の入力側には、電動チューリップ10、大入賞口11、入賞チャッカー13、通過ゲート12等のセンサと接続されている。
また、制御装置は、パチンコ機Pに設けられた各種装置を制御するための信号を出力するようになっている。例えば、制御装置の出力側には、発射装置、液晶ディスプレイ、図柄表示装置62、電動チューリップ10、大入賞口11等と接続されている。
【００１７】
また、制御装置は、通過ゲート12のセンサが遊技球を検出したことを契機に、電動チューリップ10の作動についての抽選を行う。また、制御装置は、電動チューリップ10のセンサが遊技球を検出したことを契機に、大入賞口11の作動に関する抽選を行う。
（センター役物9）
遊技盤3の略中央部には、正面から裏面にかけて貫通する開口部が形成されており、センター役物9は、この開口部を塞ぐように遊技盤3に取り付けられている。また、センター役物9は、その縁部61を遊技盤3に固定される（図１及び図３参照）とともに、遊技盤3の裏面側に突出している。
【００１８】
図２及び図３に示すように、センター役物9の中心部には、図柄表示装置62が設けられている。また、図４及び図５に示すように、センター役物9の左端部には、遊技盤3の裏面側に開口する導入口63が形成されている。この導入口63には、後述するワープ樋50の挿入部51が嵌合するようになっている。
図３に示すように、センター役物9の下部には、遊技球を転動させるステージ64が設けられている。ステージ64の中央部には、ステージ64を転動する遊技球を、電動チューリップ10の真上に排出するための排出口65が形成されている。ステージ64は、排出口65から左右方向に向けて上り傾斜するように湾曲している。また、図３ないし図５に示すように、ステージ64には、転動する遊技球を排出口65に導くための誘導突出部66が設けられている。
【００１９】
（透明可動役物17）
透明可動役物17は、図２、図４及び図５に示すように、上方に向けて開口する箱形の遊技球受け箱20と、遊技球受け箱20を駆動する駆動手段30と、駆動手段30の動力を遊技球受け箱20に伝動する伝動手段40とを備えている。
遊技盤3の透明部分におけるセンター役物9の左側の位置には、正面から裏面にかけて貫通する貫通孔が形成されており、この貫通孔に遊技球受け箱20が設けられている。遊技球受け箱20は、図４及び図５に示すように、直方体状の底板21と、底板21の周縁に立設する４枚の側板とを備えている。また、これらは、透明な合成樹脂で形成されている。ここで、４枚の側板のうち、正面側に位置する側板を「前側板22」とし、前側板22に対向して奥側に位置する側板を「後側板23」とし、前側板22と後側板23との間に位置する右側の側板を「右側板24」とし、前側板22と後側板23との間に位置する左側の側板を「左側板25」とする。
【００２０】
遊技球受け箱20の横幅、つまり右側板24と左側板25との間隔は、ほぼ遊技球１．５個分に設定されている。また、遊技球受け箱20の奥行き、つまり前側板22と後側板23との間隔は、ほぼ遊技球２個分に設定されている。
前側板22及び後側板23は、高さが遊技球１個分よりも僅かに大きく設定されている。左側板25は、手前寄りの部分の高さが遊技球１個分よりも僅かに大きく設定され、奥寄りの部分の高さがほぼ遊技球０．５個分に設定されている。右側板24は、高さがほぼ遊技球０．５個分に設定されている。図４及び図５に示すように、右側板24は、前側板22から連続して奥方向へ伸びるものの、後側板23まで至らずに、ほぼ遊技球１個分の間隔（以下「落下口26」という）を空ける。底板21の上面は、受け止めた遊技球が落下口26からワープ樋50へ転げ落ちるように形成されている。
【００２１】
図４及び図５に示すように、後側板23の裏面の右端部には、右支柱27が設けられ、後側板23の裏面の左端部には、左支柱28が設けられている。右支柱27及び左支柱28は、左右対称な角柱であり、透明な合成樹脂で形成されている。また、右支柱27の上部には、後述する連結板42の右挿入孔に挿入される右支持軸が、左支柱28の上部には、後述する連結板42の左挿入孔に挿入される左支持軸が、対向するように突設されている。
図４及び図５に示すように、底板21の下面には、前後方向に伸びる２つのリブ29が、透明な合成樹脂で形成されている。これら２つのリブ29は、貫通孔を成す周縁の下部に形成された２つのガイド溝を摺動する。
【００２２】
駆動手段30は、遊技盤3の不透明部分の裏面に設けられている。具体的には、駆動手段30は、センター役物9の左上部の張り出した部分に正面側から見て隠れるように、遊技盤3の裏面に設けられている（図２を参照）。本実施の形態では、駆動手段30としてロータリーソレノイド31が用いられている。なお、駆動手段30としてモータ等を用いることも可能である。
伝動手段40は、駆動手段30と遊技球受け箱20とを連結し、駆動手段30の駆動により回転運動する。
具体的には、伝動手段40は、ロータリーソレノイド31のシャフトに取り付けられた回転軸41と、回転軸41に取り付けられた直方体状の連結板42とを備えている（図４及び図５を参照）。また、これらは、透明な合成樹脂で形成されている。
【００２３】
連結板42の上端部には、回転軸41を挿入するための軸受孔が左右方向に貫通している。また、連結板42の右側面には、右支持柱27の右支持軸を挿入するための右挿入孔が、連結板42の左側面には、左支柱28の左支持軸を挿入するための左挿入孔が、左右対称な位置に形成されている。そして、回転軸41を、ロータリーソレノイド31のシャフトに固定するとともに、連結板42の軸受孔に挿入して固定する。さらに、右挿入孔に右支柱27の右支持軸を挿入するとともに、左挿入孔に左支柱28の左支持軸を挿入することにより、駆動手段30と遊技球受け箱20とを連結するようになっている。
（ワープ樋50）
図４ないし図７に示すように、遊技盤3の裏面側には、遊技球受け箱20により遊技盤3の裏面側へ誘導された遊技球を、センター役物9のステージ64へ誘導するワープ樋50が設けられている。
【００２４】
ワープ樋50は、遊技球を１個ずつ通過させる筒状の部材である。また、ワープ樋50は、透明な合成樹脂で形成されている。図４及び図５に示すように、ワープ樋50の下部は、右方向に折れ曲がっており、その先端部は、右方向に開口する挿入部51になっている。そして、ワープ樋50は、挿入部51をセンター役物9の導入口63に嵌合することにより、遊技盤3の裏面側に取り付けられる。ワープ樋50の上部は、左方向に湾曲しており、その先端部は、左方向に開口して、遊技球受け箱20の落下口26から転げ落ちる遊技球を受け止める受け部52となっている。遊技球受け箱20の落下口26からワープ樋50の受け部52へ落下した遊技球は、ワープ樋50内を通過して、ワープ樋50の挿入部51からセンター役物9のステージ64に排出されるようになっている。
【００２５】
（透明可動役物17の動作）
透明可動役物17の動作について説明する。透明可動役物17の動作は、制御装置からの信号により制御される。
通常はロータリーソレノイド31が励磁していないので、図４及び図６に示すように、遊技球受け箱20は、遊技空間15から貫通孔へ退避して遊技球を受け止め得ない退避位置に位置する。具体的には、遊技球受け箱20の前側板22の正面と遊技盤3の正面とが並んで、遊技球受け箱20の底板21が遊技空間15に露出しない状態になっている。これにより、退避位置に位置する遊技球受け箱20は、遊技空間15を落下する遊技球を受け止めることができない。
【００２６】
遊技球受け箱20が退避位置に位置するときに、ロータリーソレノイド31が励磁すると、シャフトが順回転するとともに、連結板42が右方向から見て時計回りに回転する（以下「順回転する」という）。この連結板42の順回転により、遊技球受け箱20が正面方向へ向けて平行移動する。そして、ロータリーソレノイド31のシャフトは、連結板42が略鉛直になると順回転を停止する。このとき、遊技球受け箱20は、図５及び図７に示すように、貫通孔から遊技空間15へ突出させて遊技球を受け止め得る突出位置に位置する。具体的には、遊技球受け箱20の底板21における遊技空間15に露出した上面部分が、遊技球１個を載せることができる状態になっている。これにより、突出位置に位置する遊技球受け箱20は、遊技空間15を落下する遊技球を受け止めることができる。
【００２７】
遊技球受け箱20が突出位置に位置するときに、ロータリーソレノイド31が励磁を停止すると、シャフトが逆回転するとともに、連結板42が右方向から見て反時計回りに回転する（以下「逆回転する」という）。この連結板42の逆回転により、遊技球受け箱20が奥方向へ向けて平行移動する。そして、ロータリーソレノイド31のシャフトは、遊技球受け箱20を退避位置まで移動させて逆回転を停止する。つまり、遊技受け箱20は、退避位置に戻されるので、遊技空間15を落下する遊技球を受け止めることができなくなる。
以上のように、第１の実施の形態によれば、遊技球受け箱20を遊技盤3にビス等で固定しないので、パチンコ機Pの美観を損なわない。
【００２８】
また、遊技球受け箱20を駆動する駆動手段30（ロータリーソレノイド31）は、遊技盤3の不透明部分の裏面に設けられているので、パチンコ機Pの美観を損なわない。
また、遊技空間15を落下する遊技球を受け止める遊技受け箱20、及び駆動手段30の動力を遊技球受け箱20に伝動する伝動手段30は、透明な材料で形成されている。したがって、遊技盤3の裏面側に位置する液晶ディスプレイの視認を妨げないので、液晶ディスプレイによる演出の効果を高めることができる。
また、遊技盤3、遊技球受け箱20及びワープ樋50は、透明な材料で形成されている。これにより、遊技球が遊技球受け箱20により遊技盤3の裏面側へ移動する様子や、遊技球が遊技球受け箱20の落下口26から転げ落ちてワープ樋50を通過する様子を視認することができるので、遊技の興趣を高めることができる。
【００２９】
（第２の実施の形態）
第２の実施の形態は、遊技球受け箱20を突出位置に向けて移動させる際に、遊技球が遊技球受け箱20と前扉6との間に挟まると、当該位置で遊技球受け箱20の移動を停止させるようにしたものである。
また、第２の実施の形態に係る透明可動役物17は、遊技球受け箱20の前側板22及び伝動手段40以外の構成については、第１の実施の形態に係る透明可動役物17と同様である。
そこで、第２の実施の形態では、遊技球受け箱20の前側板22及び伝動手段40を中心に説明する。
【００３０】
（図面の説明）
図８ないし図１１は、第２の実施の形態を示すものである。
図８は、退避位置の透明可動役物17を示す斜視図である。図９は、連結板42及び板バネ45を示す縦断面図である。図１０は、透明可動役物17について遊技球受け箱20と前扉6との間に遊技球を挟んだ状態を示す縦断面図である。図１１は、図１０の透明可動役物17を示す斜視図である。
（伝動手段40）
第１の実施の形態では、伝動手段40の連結板42を直方体状に形成したが、第二の実施の形態では、さらに連結板42を二分割して、これらを回動軸で連結した（図８ないし図１０を参照）。
【００３１】
ここで、二分割した連結板42のうちで、ロータリーソレノイド31側の部分を「上連結板43」とし、遊技球受け箱20側の部分を「下連結板44」とする。
図８及び図１１に示すように、下連結板44の上端側は、中央部が突出した凸部を有している。また、上連結板43の下端側の中央部は、下連結板44の凸部が嵌まる凹部を有している。なお、上連結板43において、凹部により隔てられた左右の端部を、それぞれ左端部、右端部とする。
上連結板43の左端部及び右端部、並びに下連結板44の凸部には、それぞれ連結孔が形成されている。そして、透明な合成樹脂製の連結軸をそれぞれの連結孔に挿入することにより、上連結板43と下連結板44とを連結するようになっている。また、図９に示すように、上連結板43及び下連結板44の互いに隣接する縁は、裏面側には面取りが施されているが、正面側には角が残されている。したがって、下連結板44は、上連結板43と一列に並んだ状態から、逆回転することができるものの、順回転することができないようになっている。
【００３２】
図８ないし図９に示すように、連結板42には、下連結板44を逆回転する方向に付勢するための板バネ45が設けられている。板バネ45は、図９（Ａ）に示すように、略コ字状に折り曲げられた、透明な合成樹脂製のバネである。板バネ45の両先端部は、対向する方向に鉤状に折り曲げられている。そして、一方の先端部が上連結板43を、他方の先端部が下連結板44を、裏面側から貫通して正面に掛止することで、板バネ45が連結板42に取り付けられる。この板バネ45の付勢により、上連結板43と下連結板44とが一列に並んだ状態になる。
また、遊技受け箱の前側板22の正面は、図８、図１０及び図１１に示すように、その上端から下端方向に向かうに連れて、前扉6のガラス窓8から遠ざかるような傾斜面になっている。
【００３３】
ここで、ロータリーソレノイド31のシャフトが順回転する最中に、遊技球が遊技球受け箱20の前側板22と前扉6のガラス窓8との間に挟まったときに、さらにシャフトが順回転すると、下連結板44が板バネ45の付勢力に抗して逆回転する（図９（Ｂ）、図１０及び図１１を参照）。これにより、遊技球受け箱20が遊技球を挟んだ位置から突出位置に向けて移動しないので、遊技球が前側板22とガラス窓8との間を滑り落ちる。そして、下連結板44が板バネ45の付勢力により順回転するとともに、遊技球受け箱20が突出位置へ移動するようになる。
以上のように、第２の実施の形態によれば、第１の実施の形態の効果に加え、次の効果を奏する。
【００３４】
すなわち、第２の実施の形態によれば、遊技球受け箱20を突出位置に向けて移動させる際に、遊技球が遊技球受け箱20と前扉6との間に挟まると、当該位置で遊技球受け箱20の移動を停止させるようになっている。具体的には、遊技球が遊技球受け箱20の前側板22と前扉6のガラス窓8との間に挟まったときに、さらにロータリーソレノイド31のシャフトが順回転すると、下連結板44が板バネ45の付勢力に抗して逆回転するようになっている。これにより、遊技球受け箱20や伝動手段30の破損を防止することができる。
また、遊技受け箱の前側板22の正面は、その上端から下端方向に向かうに連れて、前扉6のガラス窓8から遠ざかるような傾斜面になっている。これにより、遊技球受け箱20の前側板22とガラス窓8との間に挟まった遊技球を、滑り落とすことができる。
【００３５】
さらに、遊技球が前側板22とガラス窓8との間を滑り落ちるにつれて、下連結板44が板バネ45の付勢力により順回転するようになっている。これにより、遊技球受け箱20を突出位置に向けて移動させる際に、遊技球が遊技球受け箱20と前扉6との間に挟まったとしても、遊技球受け箱20を素早く突出位置へ移動させることができる。
（他の実施の形態）
本発明は、上述した実施の形態に限定されるものではなく、本発明の目的を達成できる範囲における変形や改良も含むものである。
例えば、パチンコ機Pに、遊技球受け箱20により遊技盤3の裏面側へ誘導された遊技球を検出する遊技球センサー72を設ける。そして、遊技球センサー72が遊技球を検出したことを契機に、遊技者に所定の利益を付与するように形成してもよい。
【００３６】
具体的には、図１２に示すように、遊技球受け箱20の底板21における奥寄りの部分に、遊技球を転げ落とすための落下口26を形成する。また、左側板25を、第１の実施の形態の右側板24と同様に、前側板22から後側板23にかけて連続するように形成する。さらに、遊技盤3の裏面側における遊技球受け箱20の下方に、落下口26から転げ落ちる遊技球を受け止める遊技球シュート71を設ける。そして、遊技球シュート71には、受け止めた遊技球を検出する遊技球センサー72を設ける。
また、制御装置は、遊技球センサー72が遊技球を検出したことを契機に、遊技球の払い出しに関する抽選、電動チューリップ10の作動についての抽選、または大入賞口11の作動に関する抽選などを行うように形成されてもよい。
【００３７】
以上のように、遊技球が遊技球受け箱20により遊技盤3の裏面側へ誘導されると、遊技者に所定の利益が付与されるので、遊技の興趣を高めることができる。
また、第１の実施の形態では、遊技球受け箱20が退避位置に位置する場合には、落下口26が遊技盤3の裏面側に開口するので、遊技球が落下口26から転げ落ちるが、遊技球受け箱20が突出位置に位置する場合には、落下口26が遊技盤3の貫通孔内に位置するので、遊技球が落下口26から転げ落ちないようになっている。そこで、図１２に示すように、遊技球受け箱20が退避位置に位置する場合（二点鎖線を参照）も、突出位置に位置する場合（実線を参照）も、落下口26が遊技盤3の裏面側に開口するようにして、遊技球が落下口26から転げ落ちるように形成してもよい。
【図面の簡単な説明】
【００３８】
【図１】第１の実施の形態に係るパチンコ機を示す斜視図である。
【図２】第１の実施の形態に係る遊技盤を示す正面図である。
【図３】第１の実施の形態に係るセンター役物を示す斜視図である。
【図４】第１の実施の形態に係る退避位置の透明可動役物を示す斜視図である。
【図５】第１の実施の形態に係る突出位置の透明可動役物を示す斜視図である。
【図６】第１の実施の形態に係る退避位置の透明可動役物を示す縦断面図である。
【図７】第１の実施の形態に係る突出位置の透明可動役物を示す縦断面図である。
【図８】第２の実施の形態に係る退避位置の透明可動役物を示す斜視図である。
【図９】第２の実施の形態に係る連結板及び板バネを示す縦断面図である。
【図１０】第２の実施の形態に係る透明可動役物について遊技球受け箱と前扉との間に遊技球を挟んだ状態を示す縦断面図である。
【図１１】図１０の透明可動役物を示す斜視図である。
【図１２】他の実施の形態に係る透明可動役物を示す縦断面図である。
【符号の説明】
【００３９】
P   パチンコ機
1   外枠                              2   本体
3   遊技盤                            4   受け皿
5   操作ハンドル                      6   前扉
7   前扉枠                            8   ガラス窓
9   センター役物                      10  電動チューリップ
11  大入賞口                          12  通過ゲート
13  入賞チャッカー                    14  ガイドレール
15  遊技空間                          16  アウト口
17  透明可動役物
20  遊技球受け箱                      21  底板
22  前側板                            23  後側板
24  右側板                            25  左側板
26  落下口                            27  右支柱
28  左支柱                            29  リブ
30  駆動手段                          31  ロータリーソレノイド
40  伝動手段                          41  回転軸
42  連結板                            43  上連結板
44  下連結板                          45  板バネ
50  ワープ樋                          51  挿入部
52  受け部
61  縁部                              62  図柄表示装置
63  導入口                            64  ステージ
65  排出口                            66  誘導突出部
71  遊技球シュート                    72  遊技球センサー
【図１】
2010063474.tif 000003
【図２】
2010063474.tif 000004
【図３】
2010063474.tif 000005
【図４】
2010063474.tif 000006
【図５】
2010063474.tif 000007
【図６】
2010063474.tif 000008
【図７】
2010063474.tif 000009
【図８】
2010063474.tif 000010
【図９】
2010063474.tif 000011
【図１０】
2010063474.tif 000012
【図１１】
2010063474.tif 000013
【図１２】
2010063474.tif 000014